(57)【要約】【課題】軽量でありながらも、量感を有し、かつ、バリエーションに富んだ形状の装飾品を歩留まりよく製造できる構成部材を提供する。【解決手段】特に、ネックレスやブレスレットなどの装飾用鎖の構成部材である一部に不連続部を有する欠環状部材であって、線材(1, 6)からなり、押し面に鏡面加工が施された押型(10)と受け面に鏡面加工が施された受型(8)とにより押圧されることにより塑性変形した平面部(3)を少なくとも一部に有し、該平面部(3)は鏡面を備えることを特徴とする。【選択図】図１
0003159417.tif 000002
【実用新案登録請求の範囲】
【請求項１】
線材からなり、押し面に鏡面加工が施された押型と受け面に鏡面加工が施された受型とにより押圧されることにより塑性変形した平面部を少なくとも一部に有し、該平面部は鏡面であることを特徴とする、装飾品の構成部材。
【請求項２】
線材からなり、押し面につや消し加工が施された押型と受け面につや消し加工が施された受型とにより押圧されることにより塑性変形した平面部を少なくとも一部に有し、該平面部はつや消し面であることを特徴とする、装飾品の構成部材。
【請求項３】
線材からなり、押し面が無地である押型と受け面が無地である受型とにより押圧されることにより塑性変形した平面部を少なくとも一部に有し、該平面部は無地であることを特徴とする、装飾品の構成部材。
【請求項４】
線材からなり、押し面に模様が施された押型と受け面に模様が施された受型とにより押圧されることにより塑性変形した平面部を少なくとも一部に有し、該平面部のうち前記押し面により押圧される面には、該押し面に施された模様と同様の模様が施されており、前記受け面により押圧される面には、前記受け面に施された模様と同様の模様が施されていることを特徴とする、装飾品の構成部材。
【請求項５】
前記装飾品が装飾用鎖であって、前記構成部材が一部に不連続部を有する欠環状の環状部材である、請求請１〜４のいずれか一項に記載の装飾品の構成部材。
【考案の詳細な説明】
【技術分野】
【０００１】
この考案は、装飾品の構成部材、特に装飾用鎖の構成部材に関する。
【背景技術】
【０００２】
従来から、金、銀、プラチナなどの貴金属を環状に形成した環状部材を鎖状に連結した装飾品として、たとえば、ネックレスやブレスレットなどの装飾用鎖がある。
【０００３】
特許文献１には、多数の環状部材を十字状で交互に連結した、いわゆる小判鎖もしくは小豆鎖といわれる構造や、この構造に捻りを加えて、さらにプレス加工、研削加工などを加えたキヘイ鎖といわれる構造を有するネックレスが記載されている。
【０００４】
このようなネックレスは、豪華さや重厚さが要求される。このような要求に応えるために、使用する貴金属の量を増やしたり、装飾用鎖を構成する環状部材の線形を太くしたりすることがおこなわれている。しかしながら、使用する貴金属の量を増やす場合には、ネックレス全体の重量が増加し、かつ高価なものになってしまう。一方、このような装飾品を、身体に長時間着用して使用する場合、快適な着用状態を維持するために、該装飾品が軽量であることが重要となる。
【０００５】
このように、装飾品は、豪華さや重厚さが要求される一方で、軽量化といった要求も同時に要求されることがある。
【０００６】
また、従来から、ネックレスなどの装飾品を構成する環状部材は、一般的に貴金属板に打抜き加工を施すことにより製造されている。このような打抜き加工の場合、該環状部材になる部分以外の金属は、再利用するための再加工が要求されたり、場合によっては廃棄したりするため、歩留まりが悪く、加工コストが嵩んでしまうという問題がある。
【先行技術文献】
【特許文献】
【０００７】
【特許文献１】特開２００１−２８６３１３号公報
【考案の概要】
【考案が解決しようとする課題】
【０００８】
本考案は、軽量でありながらも、量感を有し、かつ、バリエーションに富んだ形状の装飾品を製造できる構成部材を実現する。
【課題を解決するための手段】
【０００９】
本考案の装飾品の構成部材は、線材からなり、押し面に鏡面加工が施された押型と受け面に鏡面加工が施された受型とにより押圧されることにより塑性変形した平面部を少なくとも一部に有し、該平面部は鏡面であることを特徴とする。
【００１０】
また、本考案の構成部材は、線材からなり、押し面につや消し加工が施された押型と受け面につや消し加工が施された受型とにより押圧されることにより塑性変形した平面部を少なくとも一部に有し、該平面部はつや消し面であることを特徴とする。
【００１１】
また、本考案の構成部材は、線材からなり、押し面が無地である押型と、受け面が無地である受型とにより塑性変形した平面部を少なくとも一部に有し、該平面部は無地であることを特徴とする。
【００１２】
また、線材からなり、押し面に模様が施された押型と受け面に模様が施された受型とにより押圧されることにより塑性変形した平面部を少なくとも一部に有し、該平面部のうち前記押し面により押圧される面には、前記押し面に施された模様と同様の模様が施されており、前記受け面により押圧される面には、前記受面に施された模様と同様の模様が施されていることを特徴とする。
【００１３】
尚、本考案の構成部材を構成する線材とは、中実のものや、パイプ材のごとき中空のものなど、各種線形状の線材を含む。
【００１４】
このような本考案は、装飾品が、たとえばネックレスやブレスレットなどの装飾用鎖であって、その構成部材である、一部に不連続部を有する欠環状部材に好適に適用される。
【考案の効果】
【００１５】
上述のような本考案の装飾品の構成部材によれば、線材を塑性加工したものであるため、再利用または廃棄するような貴金属材料が生じず、歩留まりを高くし、製造コストを低減することができる。
【００１６】
また、前記構成部材の平面部の鏡面形状、つや消し、無地、模様は、前記線材を金型によりプレス加工するのと同時に形成している。このため、プレス加工後に、鏡面加工などの二次加工を省略でき、作業時間の短縮および加工コストの低減を図ることができる。
【００１７】
また、前記構成部材は、鏡面加工を施された平面部を有するため、複数の構成部材同士を重ねた状態で連結すれば、同量の貴金属を使用した装飾品と比較して、豪華さや重厚さを備える装飾品を得ることができる。
【００１８】
また、前記平面部をつや消し面とすれば、豪華さや重厚さを備えながらも、落ち着いた雰囲気を備える装飾品を得ることができる。
【００１９】
また、前記平面部に模様を形成すれば、バリエーション、デザイン性に富んだ装飾品を得ることができる。
【図面の簡単な説明】
【００２０】
【図１】本考案の実施の形態の１例を示す図である。
【考案を実施するための形態】
【００２１】
［実施の形態の第１例］
図１は、本考案の実施の形態の第１例を示す。
【００２２】
本例の装飾品の構成部材１は、図１の（Ｅ）に示すような、一部に不連続部２を有する欠環状の線材からなり、該線材は、周方向全体にわたって平板状に加工された平面部３を有する。また、該平面部３の軸方向両周面は、鏡面加工されている。
【００２３】
このような構成部材１は、図１の（Ａ）に示すようなコイル状に巻かれた線材４から、素材５を切り出し、図１の（Ｂ）に示すような、一部に不連続部２を有する欠環状中間部材６とする。なお、本実施例では前記線材４として、中実のものを使用しているが、パイプ材のごとき中空のものなど各種線形状の線材を使用することができる。
【００２４】
ついで、図１の（Ｃ）に示すような金型７を構成する受型８の受け面９上に、該欠環状中間部材６を載置する。このような金型７は、受型８と押型１０とで構成され、該受型８の受け面９および押型１０の押し面１１は、鏡面加工が施されている。
【００２５】
そして、図１の（Ｄ）に示すように、前記受型８と押型１０とにより、前記欠環状中間部材６にプレス加工を施し、図１の（Ｅ）に示すような、前記構成部材１の形状とする。
【００２６】
このプレス加工と同時に、前記受け面９と前記押し面１１とで押圧されることにより形成される前記平面部３の軸方向両周面は、鏡面加工がなされる。なお、該プレス加工は、手作業により行うことも、前記金型を組み付けたプレス加工機により行うこともできる。また、図示の例では、全体を平面状にプレス加工しているが、不連続部２と連続部を除く部分のみをプレスして平面部３としてもよい。
【００２７】
このような構成部材１は、たとえば、図１の（Ｆ）に示すように、鎖状に連結することでネックレスやブレスレットなどの装飾用鎖１２を構成することができる。なお、このような装飾用鎖１２は、前記構成部材１同士を組み合わせた状態で、前記不連続部２をロウ付けすることで鎖状に連結する。
【００２８】
上述したような装飾品の構成部材１によれば、前記コイル状の線材４から切り出した素材５を塑性変形しているため、再利用または廃棄するような貴金属材料が生じず、歩留まりを高くし、装飾品を低コストで生産することができる。
【００２９】
また、前記金型７により、前記欠環状中間部材６をプレス加工すると同時に、鏡面加工された平面部３が形成される。このため、作業時間の短縮および加工コストの低減を図ることができ、装飾品を低コストで生産することができる。
【００３０】
さらに、鏡面加工された平面部３を有するため、図１の（Ｆ）に示すように、複数の前記構成部材１を重ねた状態で連結すれば、同量の貴金属を使用した装飾品と比較して、豪華さや重厚さを備え、さらに、デザイン性の高い装飾品を得ることができる。
【００３１】
［実施の形態の第２例］
図１を使用して、本考案の実施の形態の第２例を説明する。
【００３２】
本例の場合、図１の（Ｃ）に示すような金型７を構成する受型８の受け面９および押型１０の押し面１１に、つや消し加工が施されている。
【００３３】
このような本例の場合、図１の（Ｄ）に示すように、金型７により、欠環状中間部材６をプレス加工すると同時に、つや消し加工された平面部３が形成される。このため、作業時間の短縮および加工コストの低減を図ることができ、装飾品を低コストで生産することができる。
【００３４】
また、つや消し加工された平面部３を有するため、図１の（Ｆ）に示すように、複数の前記構成部材１を重ねた状態で連結すれば、同量の貴金属を使用した装飾品と比較して、豪華さや重厚さを備えながらもつや消し加工により落ち着いた雰囲気を備え、さらに、デザイン性の高い装飾品を得ることができる。
【００３５】
前記金型７を構成する受型８の受け面９および押型１０の押し面１１に、つや消し加工が施され、前記平面部３がつや消し面である以外の構成は、前述した実施の形態の第１例と同様である。
【００３６】
［実施の形態の第３例］
図１を使用して、本考案の実施の形態の第３例を説明する。
【００３７】
本例の場合、図１の（Ｃ）に示すような金型７を構成する受型８の受け面９および押型１０の押し面１１は無地である。
【００３８】
このような本例の場合、図１の（Ｄ）に示すように、金型７により、欠環状中間部材６をプレス加工した場合でも、平面部３は無地である。
【００３９】
前記金型７を構成する受型８の受け面９および押型１０の押し面１１が無地であり、前記平面部３も無地である以外の構成は、前述した実施の形態の第１例と同様である。
【００４０】
［実施の形態の第４例］
図１を使用して、本考案の実施の形態の第４例を説明する。
【００４１】
本例の場合、図１の（Ｃ）に示すような金型７を構成する受型８の受け面９および押型１０の押し面１１に、模様が施されている。
【００４２】
このような本例の場合、図１の（Ｄ）に示すように、金型７により、欠環状中間部材６をプレス加工すると同時に、模様が施された平面部３が形成される。
このため、作業時間の短縮および加工コストの低減を図ることができ、装飾品を低コストで生産することができる。なお、前記平面部３のうち前記押し面１１により押圧される面には、該押し面１１に施された模様と同様の模様が施されており、前記受け面９により押圧される面には、前記受け面９に施された模様と同様の模様が施されている。
【００４３】
また、模様を施した平面部３を有するため、バリエーション、デザイン性に富んだ装飾品を得ることができる。
【００４４】
前記金型７を構成する受型８の受け面９および押型１０の押し面１１に模様が施され、前記平面部３に模様が施されている以外の構成は、前述した実施の形態の第１例と同様である。
【産業上の利用可能性】
【００４５】
本考案の構成部材を構成する線材は、中実のものや、パイプ材のごとき中空の形状など各種形状の線材を含む。
【００４６】
また、受型の受け面または押型の押し面のいずれか一方の面に鏡面加工が施され、他方の面につや消し加工が施されたような金型を使用することもできる。
【００４７】
さらに、前記欠環状中間部材６の形状は、図示の形状に限るものではない。たとえば、いわゆるオーバル形状、すいらい形状、ドロップ形状、ハート形、ひし形などの各種形状を適宜選択することができる。
【符号の説明】
【００４８】
１  構成部材
２  不連続部
３  平面部
４  線材
５  素材
６  欠環状中間部材
７  金型
８  受型
９  受け面
１０  押型
１１  押し面
１２  装飾用鎖
【図１】
0003159417.tif 000003